(57)【要約】【課題】フィルタ装置の小型化を図ることができるようにする。【解決手段】環状のコア２と、コア２に挿通される棒状の導電体３と、導電体３に電気接続される回路基板４と、を備え、回路基板４は、その主面３１が導電体３の長手方向においてコア２に対向するように、コア２に対して導電体３の長手方向に並べて配されるフィルタ装置１を提供する。【選択図】図２
2020039050.tif 000002
【特許請求の範囲】
【請求項１】
環状のコアと、前記コアに挿通される棒状の導電体と、前記導電体に電気接続される回路基板と、を備え、
前記回路基板は、その主面が前記導電体の長手方向において前記コアに対向するように、前記コアに対して前記導電体の長手方向に並べて配されるフィルタ装置。
【請求項２】
前記導電体は、前記回路基板をその板厚方向に貫通する請求項１に記載のフィルタ装置。
【請求項３】
前記導電体を複数備える請求項１又は請求項２に記載のフィルタ装置。
【請求項４】
電磁気的なノイズを遮蔽するシールド板部を備え、
前記導電体は、前記シールド板部をその板厚方向に貫通している請求項１から請求項３のいずれか一項に記載のフィルタ装置。
【請求項５】
前記シールド板部は、前記回路基板に含まれる請求項４に記載のフィルタ装置。
【請求項６】
前記コア、前記導電体、前記回路基板、及び、前記シールド板部を収容し、電磁気的なノイズを遮蔽するシールド用ケースを備え、
前記シールド板部は、前記シールド用ケースの収容領域を、板厚方向における前記シールド板部の両側に位置する二つの区画領域に区画する請求項４又は請求項５に記載のフィルタ装置。
【請求項７】
前記シールド用ケースが、少なくとも一方向に開口するように形成され、
前記一方向に延びる前記シールド用ケースの内側面には、前記シールド板部をその板厚方向から保持すると共に、前記シールド板部を前記一方向に案内する案内部材が設けられている請求項６に記載のフィルタ装置。
【請求項８】
環状のコアと、前記コアに挿通される棒状の導電体と、前記導電体に電気接続される回路基板と、を備え、
前記回路基板の少なくとも一部が、前記コアに挿入されるフィルタ装置。
【発明の詳細な説明】
【技術分野】
【０００１】
この発明は、フィルタ装置に関する。
【背景技術】
【０００２】
各種の電源装置では、電磁気的なノイズが発生する。このため、電源装置の配線には、このようなノイズを除去するためのフィルタ装置が設けられる。
特許文献１には、環状のコアと、コアに挿通された棒状の導電体（導電バー）と、導電体に電気接続された回路基板と、を備えるフィルタ装置が開示されている。回路基板の主面には、コアと共にノイズを除去するための回路を構成するコンデンサ等の回路部品が搭載される。特許文献１のフィルタ装置では、コアが回路基板における回路部品の配置に影響を与えないように、導電体を、回路基板の主面に沿って回路基板の外側まで延ばし、回路基板の外側においてコアに挿通させている。
【先行技術文献】
【特許文献】
【０００３】
【特許文献１】特開２００５−０９３６５８号公報
【発明の概要】
【発明が解決しようとする課題】
【０００４】
しかしながら、特許文献１のフィルタ装置では、コアと回路基板とが回路基板の主面に沿う方向（導電体の長手方向）に配列されるため、導電体の長手方向におけるフィルタ装置の寸法が大きくなってしまう。すなわち、特許文献１の構成では、フィルタ装置の小型化を図ることが難しい、という問題がある。
【０００５】
本発明は、上述した事情に鑑みたものであって、小型化を図ることが可能なフィルタ装置を提供することを目的とする。
【課題を解決するための手段】
【０００６】
本発明の一態様は、環状のコアと、前記コアに挿通される棒状の導電体と、前記導電体に電気接続される回路基板と、を備え、前記回路基板は、その主面が前記導電体の長手方向において前記コアに対向するように、前記コアに対して前記導電体の長手方向に並べて配されるフィルタ装置である。
【０００７】
また、本発明の一態様は、環状のコアと、前記コアに挿通される棒状の導電体と、前記導電体に電気接続される回路基板と、を備え、前記回路基板の少なくとも一部が、前記コアに挿入されるフィルタ装置である。
【発明の効果】
【０００８】
本発明によれば、フィルタ装置の小型化を図ることができる。
【図面の簡単な説明】
【０００９】
【図１】本発明の第一実施形態に係るフィルタ装置を示す斜視図である。
【図２】図１のフィルタ装置において、コア、導電体及び回路基板をシールド用ケースから取り外した状態を示す斜視図である。
【図３】図２のコア、導電体及び回路基板を分解した状態を示す分解斜視図である。
【図４】図１のフィルタ装置をＺ軸正方向側から見た断面を模式的に示す図である。
【図５】図１のフィルタ装置をＹ軸負方向側から見た断面を模式的に示す図である。
【図６】図２のコア、導電体及び回路基板をＸ軸負方向側から見た断面図である。
【図７】本発明の第二実施形態に係るフィルタ装置を示す断面図である。
【図８】図７のVIII−VIII矢視断面図である。
【図９】図７のIX−IX矢視断面図である。
【発明を実施するための形態】
【００１０】
〔第一実施形態〕
以下、図１〜６を参照して本発明の第一実施形態について説明する。
本実施形態に係るフィルタ装置は、電気配線に流れる電流から電磁気的なノイズを除去する装置である。図１〜３に示すように、本実施形態のフィルタ装置１は、コア２と、導電体３と、回路基板４と、を備える。また、本実施形態のフィルタ装置１は、シールド板部５と、シールド用ケース６と、を備える。
【００１１】
図３に示すように、コア２は、環状に形成されている。コア２は、図示例のように円形の環状に形成されてよいし、例えば矩形や多角形の環状に形成されてもよい。コア２は、フェライト系、アモルファス系などの高透磁率材料によって構成される。本実施形態のフィルタ装置１は、コア２を二つ備える。二つのコア２は、コア２の軸方向（Ｘ軸方向）に間隔をあけて配される。
【００１２】
図３〜５に示すように、導電体３は、一方向に延びる棒状に形成されている。本実施形態において、導電体３は、一方向に延びる帯板状に形成されている。導電体３は、コア２に挿通される。導電体３は、コア２に挿通された状態でコア２の軸方向（Ｘ軸方向）に延びる。
導電体３は、例えば電源と負荷装置とを接続する配線として機能する。すなわち、導電体３の長手方向（Ｘ軸方向）の第一端部１１は、例えば電源等に電気接続するための端子（入力側端子）として機能する。また、導電体３の長手方向の第二端部１２は、例えば負荷装置等に電気接続するための端子（出力側端子）として機能する。
【００１３】
図３〜６に示すように、本実施形態のフィルタ装置１は、導電体３を四つ備える。四つの導電体３は、これらの長手方向が互いに平行するように、導電体３の長手方向に直交する方向に互いに間隔をあけて位置する。
四つの導電体３は、例えばその長手方向に直交する方向（例えばＹ軸方向）に一列に並べられてよい。本実施形態において、導電体３は、図６に示すように、その長手方向に直交する第一方向（Ｙ軸方向）に二つ配列されると共に、長手方向及び第一方向に直交する第二方向（Ｚ軸方向）に二つ配列される。すなわち、四つの導電体３は、格子状に配列されている。言い換えれば、四つの導電体３は、導電体３の長手方向を軸とした周方向（コア２の周方向）に配列される。なお、本実施形態において、帯板状に形成された四つの導電体３は、いずれもその板厚方向が第一方向に向くように配されている。
【００１４】
図４〜６に示すように、互いに隣り合う導電体３の間には、隣り合う導電体３同士の電気的な絶縁を確保するための絶縁部７が介在する。
具体的に、絶縁部７は、第一絶縁壁部２１と、第二絶縁壁部２２と、を含む。第一絶縁壁部２１は、第一方向に配列された二つの導電体３の間で第二方向に延びている。第一絶縁壁部２１は、第二方向に配列された二つの導電体３の両端よりも外側まで延びている。第二絶縁壁部２２は、第二方向に配列された二つの導電体３の間で第一方向に延び、第一絶縁壁部２１と交差する。第二絶縁壁部２２は、第一方向に配列された二つの導電体３の両端よりも外側まで延びている。すなわち、絶縁部７は、図６に示すように、第一絶縁壁部２１及び第二絶縁壁部２２によって、導電体３の長手方向に直交する断面で十字状に形成されている。
【００１５】
また、絶縁部７は、第三絶縁壁部２３をさらに含む。第三絶縁壁部２３は、第一方向における第二絶縁壁部２２の両端から第二絶縁壁部２２の厚さ方向（第二方向）の両側に延びている。第三絶縁壁部２３は、第二方向に配列された二つの導電体３の両端よりも外側まで延びている。これにより、各導電体３は、第一方向において第一絶縁壁部２１と第三絶縁壁部２３との間に位置する。第二方向における第三絶縁壁部２３の長さは、第一絶縁壁部２１よりも短い。
以上のように構成される本実施形態の絶縁部７は、例えば１つ又は複数の絶縁シートに折り曲げ加工を施すことで構成することができる。
【００１６】
図５に示すように、四つの導電体３の両端部１１，１２は、導電体３同士の電気的な短絡を防ぐために、四つの導電体３の長手方向の中途部分よりも互いに離れて位置している。また、四つの導電体３の第一端部１１（入力側端子）は、四つの導電体３の第二端部１２（出力側端子）よりも互いに離れて位置している。
具体的に、四つの導電体３の第一端部１１は、それぞれ折り曲げ加工されることで、導電体３の板厚方向（第二方向；Ｚ軸方向）に互いに離れて位置する。一方、四つの導電体３の第二端部１２に関しては、導電体３の板厚方向に配列された二つの導電体３のうち一方の導電体３の第二端部１２だけが折り曲げ加工される。これにより、導電体３の板厚方向に並ぶ二つの導電体３の第二端部１２が、導電体３の板厚方向において互いに離れて位置する。なお、図３に示すように、導電体３の幅方向（第一方向；Ｙ軸方向）に並ぶ二つの導電体３の第二端部１２は、導電体３の板厚方向において同じ位置に配される。
四つの導電体３の第二端部１２同士の間隔を、第一端部１１同士の間隔よりも小さくすることで、四つの導電体３を前述のコア２や後述する回路基板４、シールド板部５に対して容易に貫通させることができる。
【００１７】
図３〜５に示すように、各導電体３の長手方向の両端部１１，１２には、ネジ１３が取り付けられている。ネジ１３は、電源や負荷装置と接続するための各種配線を導電体３の各端部１１，１２に固定するために設けられている。
【００１８】
図２〜５に示すように、回路基板４は、その主面３１が導電体３の長手方向においてコア２に対向するように、コア２に対して導電体３の長手方向に並べて配される。回路基板４の主面３１は、回路基板４の板厚方向に直交する回路基板４の面である。本実施形態において、回路基板４は、その主面３１が導電体３の長手方向に対して直交するように配されている。
【００１９】
図３〜６に示すように、本実施形態の回路基板４には、その板厚方向に貫通する基板挿通孔３２が形成されている。本実施形態では、基板挿通孔３２が回路基板４の主面３１の中央部分に形成されている。基板挿通孔３２には、導電体３が挿通される。すなわち、導電体３は、回路基板４をその板厚方向に貫通する。
本実施形態において、基板挿通孔３２には、四つの導電体３の他に、前述した絶縁部７も挿通される。回路基板４の主面３１側から見た基板挿通孔３２の平面視形状は、任意であってよいが、本実施形態では図６に示すように絶縁部７の断面形状に対応する十字状に形成されている。
【００２０】
図３〜６に示すように、回路基板４の主面３１には、回路部品３３が搭載されている。回路部品３３は、コア２及び導電体３と共に導電体３におけるノイズを除去するための回路を構成する。回路部品３３は、例えばコンデンサである。回路部品３３は、例えば回路基板４の両方の主面３１ａ，３１ｂに搭載されてよい。本実施形態において回路部品３３は、回路基板４の一方の主面３１ａのみに搭載されている。
【００２１】
回路基板４は、導電体３に電気接続される。本実施形態の回路基板４は、これに導電体３を貫通させた状態で導電体３に電気接続される。具体的に、回路基板４は、接続体８によって導電体３に電気接続される。接続体８は、導電性を有する帯板をＬ字状に折り曲げることで形成されている（特に図５参照）。接続体８は、導電体３の面及び回路基板４の一方の主面３１ａに対してそれぞれ面接触するように配される。接続体８は、回路基板４の一方の主面３１ａに半田付け等することで固定される。また、接続体８は、ネジ止め等により導電体３に固定される。これにより、回路基板４と導電体３とが、電気接続される。
【００２２】
図４，５に示すように、本実施形態のフィルタ装置１は、上記した回路基板４を二つ備える。二つのコア２（２Ａ，２Ｂ）及び二つの回路基板４（４Ａ，４Ｂ）は、四つの導電体３及び絶縁部７を挿通させた状態で、導電体３の長手方向（Ｘ軸方向）に交互に配列される。具体的に、第一回路基板４Ａは、その他方の主面３１ｂが第一コア２Ａに対向し、かつ、一方の主面３１ａが第二コア２Ｂに対向するように、二つのコア２の間に配される。第二回路基板４Ｂは、その他方の主面３１ｂが第二コア２Ｂに対向し、かつ第一回路基板４Ａとの間に第二コア２Ｂが位置するように配される。各コア２は、例えば回路基板４や回路部品３３に接触するように配されてもよいが、本実施形態では、回路基板４や回路部品３３に対して間隔をあけて配される。
【００２３】
シールド板部５は、導電性を有する材料によって形成され、電磁気的なノイズを遮蔽する。シールド板部５には、その板厚方向に貫通するシールド挿通孔４１が形成されている。シールド挿通孔４１には、導電体３が挿通される。すなわち、導電体３は、シールド板部５をその板厚方向に貫通する。
本実施形態のシールド板部５は、二つの回路基板４にそれぞれ含まれている。すなわち、本実施形態のフィルタ装置１は、二つのシールド板部５を備える。シールド板部５は、例えば回路基板４の内部にある配線層によって構成されてよい。シールド板部５のシールド挿通孔４１は、回路基板４の基板挿通孔３２に対応する位置に形成されている。
【００２４】
図１，２，４，５に示すように、シールド用ケース６は、上記したコア２、導電体３、及び、回路基板４を収容する収容領域５１を有する。シールド用ケース６は、導電性を有する材料によって形成され、電磁気的なノイズを遮蔽する。一つのシールド板部５は、シールド用ケース６の収容領域５１を、板厚方向におけるシールド板部５の両側に位置する二つの区画領域５２に区画する。本実施形態では、二つのシールド板部５が、シールド用ケース６の収容領域５１を三つの区画領域５２（５２Ａ，５２Ｂ，５２Ｃ）に区画する。
【００２５】
具体的に、本実施形態のシールド用ケース６は、底板部５３と、一対の側板部５４と、を備える。底板部５３は、シールド用ケース６の底面５５を構成する。一対の側板部５４は、底板部５３の幅方向（Ｙ軸方向）の両側において底面５５から延びるように形成されている。一対の側板部５４は、それぞれシールド用ケース６の内側面５６を構成する。底板部５３及び一対の側板部５４は、導電性を有する板材に折り曲げ加工を施すことで一体に形成することができる。
これら底板部５３（底面５５）及び一対の側板部５４（内側面５６）によって囲まれた空間が、シールド用ケース６の収容領域５１となる。これにより、シールド用ケース６は、その底面５５からその上方に向かう一方向（Ｚ軸正方向）に開口するように形成されている。また、シールド用ケース６は、底板部５３の長手方向（Ｘ軸方向）の両側にも開口するように形成されている。
【００２６】
二つのコア２、四つの導電体３及び二つ回路基板４は、四つの導電体３及び絶縁部７を二つのコア２及び二つの回路基板４に挿通させた状態で、シールド用ケース６の収容領域５１に配される。
この状態においては、図１，４，５に示すように、導電体３の長手方向が底板部５３の長手方向（Ｘ軸方向）に向いている。二つのシールド板部５は、それぞれシールド板部５の板厚方向が底板部５３の長手方向に向くように配される。また、二つのシールド板部５は、底板部５３の長手方向に間隔をあけて配される。各シールド板部５は、シールド板部５の縁とシールド用ケース６の内面（底面５５、内側面５６）との間に隙間が生じないように、あるいは、当該隙間が小さくなるように、配されるとよい。これにより、二つのシールド板部５は、シールド用ケース６の収容領域５１を、底板部５３の長手方向に配列された三つの区画領域５２（５２Ａ，５２Ｂ，５２Ｃ）に区画することができる。
【００２７】
四つの導電体３及び二つ回路基板４をシールド用ケース６の収容領域５１に配した状態において、各導電体３の長手方向の両端部１１，１２は、図１，４，５に例示するように長手方向（Ｘ軸方向）における側板部５４の両端から収容領域５１の外側に突出してもよいが、例えば突出しなくてもよい。
【００２８】
図１，２，４，５に示すように、収容領域５１を構成するシールド用ケース６の内側面５６には、絶縁シート５７が配されている。絶縁シート５７は、シールド用ケース６の内側面５６と収容領域５１に配された導電体３や回路基板４との間で電気的な短絡が生じることを防ぐ。なお、絶縁シート５７は、例えばシールド用ケース６の底面５５にも配されてよい。
【００２９】
本実施形態において、底面５５からその上方に向かう一方向（Ｚ軸方向）に延びるシールド用ケース６の内側面５６には、案内部材５８が設けられている。案内部材５８は、収容領域５１に収容される回路基板４（シールド板部５）をその板厚方向から保持する。また、案内部材５８は、回路基板４（シールド板部５）を一方向に案内する。
案内部材５８の具体的な構成や形状は任意であってよい。本実施形態の案内部材５８には、一方向に延びる溝部５９が形成されている。この溝部５９に、回路基板４（シールド板部５）の縁部が入り込むことで、案内部材５８は、回路基板４（シールド板部５）をその板厚方向から保持することができる。また、回路基板４（シールド板部５）の縁部が溝部５９に入り込んだ状態では、回路基板４を溝部５９の長手方向（すなわち一方向）に案内することができる。
【００３０】
本実施形態では、二つの案内部材５８によって同一の回路基板４（シールド板部５）を保持すると共に溝部５９の長手方向（一方向）に案内する。二つの案内部材５８は、底板部５３の幅方向に対向する一対の内側面５６にそれぞれ設けられている。底板部５３の幅方向における同一の回路基板４（シールド板部５）の両縁部が、これら二つの案内部材５８の溝部５９にそれぞれ入り込むことで、回路基板４（シールド板部５）を安定に保持することができる。また、二つの案内部材５８の溝部５９によって、安定した状態で同一の回路基板４（シールド板部５）を溝部５９の長手方向に案内することができる。
本実施形態のフィルタ装置１は、二つの回路基板４（シールド板部５）を備えるため、シールド用ケース６には、二つの案内部材５８が二組設けられている。
【００３１】
案内部材５８は、例えばシールド用ケース６の内側面５６に直接接触するように設けられてよいが、本実施形態では、シールド用ケース６の内側面５６との間に絶縁シート５７が介在するように設けられている。
【００３２】
本実施形態のフィルタ装置１は、例えば図１に示すように、一方向（Ｚ軸正方向）に開口するシールド用ケース６の開口部（以下、上方開口部と呼ぶ。）を塞ぐ蓋部材９をさらに備えてよい。
蓋部材９は、シールド用ケース６の上方開口部に対して着脱可能に設けられるとよい。蓋部材９は、例えば、シールド用ケース６の上方開口部をなす一対の側板部５４の先端に形成された鍔部６０に重ねて配された上で、当該鍔部６０に対してねじ止め等によって固定されてよい。蓋部材９の具体的な形状は、平板状など任意の形状であってよい。
【００３３】
また、蓋部材９は、例えばシールド用ケース６と同様に導電性を有する板材によって形成されるとよい。この場合、蓋部材９は、シールド用ケース６の収容領域５１に収容されたシールド板部５の縁との間に隙間が生じないように、あるいは、当該隙間が小さくなるように、シールド用ケース６の上方開口部に設けられるとよい。
また、蓋部材９のうちシールド用ケース６の収容領域５１側に向く面には、例えば絶縁シートが配されてよい。この場合、絶縁シートによって蓋部材９と収容領域５１に配された導電体３や回路基板４との間で電気的な短絡が生じることを防ぐことができる。
【００３４】
以上説明したように、本実施形態のフィルタ装置１によれば、回路基板４は、その主面３１が導電体３の長手方向（Ｘ軸方向）においてコア２に対向するように、コア２に対して導電体３の長手方向に並べて配される。すなわち、回路基板４の主面３１が導電体３の長手方向に対して直交するように、コア２と回路基板４とが導電体３の長手方向に配列される。このため、コア２と回路基板４とが回路基板４の主面３１に沿う方向（導電体３の長手方向）に配列された従来の構成と比較して、導電体３の長手方向におけるフィルタ装置１の寸法を小さくできる。したがって、フィルタ装置１の小型化を図ることができる。
【００３５】
また、本実施形態のフィルタ装置１では、導電体３が回路基板４をその板厚方向に貫通している。特に本実施形態では、導電体３が回路基板４の中央部分を貫通している。このため、導電体３の長手方向（Ｘ軸方向）から見て、コア２と回路基板４とが重なる領域を大きくすることができる（例えば図６参照）。すなわち、導電体３の長手方向に直交する方向（Ｙ軸方向、Ｚ軸方向）におけるフィルタ装置１の寸法を小さくして、フィルタ装置１の小型化を図ることができる。
【００３６】
また、本実施形態のフィルタ装置１によれば、複数（例えば三つ以上）の導電体３を備えていても、フィルタ装置１の小型化を図りながら、これら複数の導電体３を容易に回路基板４に接続することができる。
例えば、複数の導電体３の長手方向が互いに平行するように、かつ回路基板４の主面３１に平行するように、複数の導電体３が回路基板４の主面３１上に配される場合には、複数の導電体３を互いに近づけて配置すると、一の導電体３と回路基板４との接続部分が、他の導電体３によって覆われてしまう。このため、一部の導電体３と回路基板４との接続が難しくなる。
これに対し、本実施形態において、導電体３はその長手方向が回路基板４の主面３１に対して直交するように配される。このため、複数の導電体３を互いに近づけて配置しても、一の導電体３と回路基板４との接続部分（例えば図４，５に示した導電体３や回路基板４と接続体８との接続部分）が、他の導電体３によって覆われることを防止できる。すなわち、複数の導電体３を互いに近くに配置することでフィルタ装置１の小型化を図りつつ、複数の導電体３を容易に回路基板４に接続することができる。
【００３７】
また、本実施形態のフィルタ装置１によれば、コア２に挿通される複数の導電体３が、コア２の周方向に配列されている。このため、複数の導電体３が一列に並べられる場合と比較して、コア２の大きさ（特に導電体３が通るコア２の孔の大きさ）を小さくして、フィルタ装置１の小型化を図ることができる。
【００３８】
また、本実施形態のフィルタ装置１によれば、導電体３がシールド板部５をその板厚方向に貫通する。このため、シールド板部５の板厚方向の一方側に位置する導電体３の第一部位（例えば導電体３の第一端部１１側の部位）における電磁気的なノイズが、シールド板部５の他方側に位置する導電体３の第二部位（例えば導電体３の第二端部１２側の部位）に影響することを抑制できる。したがって、本実施形態のフィルタ装置１では、ノイズを効果的に除去することができる。
【００３９】
また、本実施形態のフィルタ装置１によれば、シールド板部５が回路基板４に含まれる。このため、回路基板４とシールド板部５とが別個に形成され、導電体３の長手方向に配列される場合と比較して、導電体３の長手方向におけるフィルタ装置１の寸法を小さくできる。したがって、フィルタ装置１の小型化をさらに図ることができる。
【００４０】
また、本実施形態のフィルタ装置１によれば、コア２、導電体３、回路基板４及びシールド板部５がシールド用ケース６の収容領域５１に収容された状態では、シールド板部５がシールド用ケース６の収容領域５１を二つの区画領域５２に区画する。このため、シールド板部５の一方側に位置する導電体３の第一部位における電磁気的なノイズが、シールド板部５の周囲からシールド板部５の他方側に位置する導電体３の第二部位側に回り込もうとしても、当該ノイズはシールド用ケース６によって遮蔽される。これにより、導電体３の第一部位におけるノイズが導電体３の第二部位に影響することをさらに抑制できる。したがって、本実施形態のフィルタ装置１では、ノイズをさらに効果的に除去することができる。
さらに、シールド用ケース６の上方開口部が、導電性を有する蓋部材９によって塞がれる場合には、上方開口部から周辺回路への電磁気的なノイズの伝播を遮蔽することができる。なお、周辺回路は、例えばシールド用ケース６（収容領域５１）の外側に配されて電源や負荷装置などを構成する回路である。また、シールド板部５の周囲を回り込もうとする電磁気的なノイズを蓋部材９によっても遮蔽することができる。すなわち、フィルタ装置１におけるノイズの除去効果をさらに高めることができる。
【００４１】
また、本実施形態のフィルタ装置１によれば、シールド用ケース６の内側面５６には、回路基板４（シールド板部５）をその板厚方向から保持し、かつシールド用ケース６が開口する方向（Ｚ軸方向）に案内する案内部材５８が設けられている。これにより、回路基板４（シールド板部５）をシールド用ケース６に収容する際には、回路基板４（シールド板部５）が案内部材５８によって保持されるため、回路基板４（シールド板部５）をシールド用ケース６内において簡単に位置決めすることができる。特に、本実施形態では、コア２及び導電体３が回路基板４（シールド板部５）に取り付けられた状態でシールド用ケース６内に収容されるため、コア２及び導電体３もシールド用ケース６内において簡単に位置決めできる。
また、本実施形態のフィルタ装置１では、複数の回路基板４（シールド板部５）がそれぞれ案内部材５８によって位置決めされるため、複数の回路基板４（シールド板部５）の相対的な位置決めも容易に行うことができる。
【００４２】
第一実施形態のフィルタ装置１において、回路基板４は、例えば回路基板４の主面３１が導電体３の長手方向に対して傾斜するように配されてもよい。すなわち、回路基板４は、少なくとも回路基板４の主面３１が導電体３の長手方向に対して交差するように配されればよい。
【００４３】
第一実施形態のフィルタ装置１において、導電体３は、例えば回路基板４を貫通しなくてもよい。導電体３は、例えば回路基板４の縁に隣り合うように配されてもよい。
【００４４】
第一実施形態のフィルタ装置１において、シールド板部５は、例えば回路基板４と別個に形成されてよい。この場合、シールド板部５は、例えば、導電体３の長手方向において回路基板４とコア２との間に配されてよい。
【００４５】
第一実施形態のフィルタ装置１において、シールド用ケース６は、例えばその底面５５からその上方に向かう一方向（例えば図１，２においてＺ軸正方向）にのみ開口するように形成されてもよい。
【００４６】
〔第二実施形態〕
次に、図７〜９を参照して本発明の第二実施形態について説明する。第二実施形態においては、第一実施形態と同様の構成要素について同一符号を付す等して、その説明を省略する。
【００４７】
図７〜９に示すように、本実施形態のフィルタ装置１０１は、第一実施形態と同様に、コア２と、導電体１０３と、回路基板１０４と、を備える。また、本実施形態のフィルタ装置１０１は、ベース部１０９を備える。
コア２は、第一実施形態と同様である。本実施形態のフィルタ装置１０１は、コア２を三つ備える。三つのコア２は、コア２の軸方向（Ｘ軸方向）に配列されている。
【００４８】
導電体１０３は、第一実施形態の導電体３と同様に、一方向に延びる帯板状に形成され、例えば電源と負荷装置とを接続する配線として機能する。導電体１０３は、コア２に挿通される。本実施形態において、導電体１０３は、三つのコア２に挿通される。導電体１０３は、コア２に挿通された状態でコア２の軸方向（Ｘ軸方向）に延びる。
本実施形態のフィルタ装置１０１は、導電体１０３を二つ備える。二つの導電体１０３は、これらの長手方向が互いに平行するように、導電体１０３の長手方向に直交する方向に互いに間隔をあけて位置する。本実施形態において、二つの導電体１０３は、その板厚方向（Ｚ軸方向）に間隔をあけて配列されている。
【００４９】
図７に示すように、二つの導電体１０３の間には、第一スペーサ１７１が挟み込まれている。これにより、二つの導電体１０３は、互いに間隔をあけた状態に保持される。第一スペーサ１７１は、例えば電気的な絶縁性を有するとよい。
【００５０】
図７〜９に示すように、本実施形態の回路基板１０４は、コア２に挿入される。コア２には、例えば回路基板１０４の全体が挿入されてよいが、本実施形態では、回路基板１０４の一部だけが挿入され、コア２の軸方向における回路基板１０４の両端が、コア２の外側に突出する。
コア２に挿入された回路基板１０４は、その主面１３１が導電体１０３の長手方向に平行するように配される。回路基板１０４は、例えばその板厚方向が二つの導電体１０３の配列方向に対して傾斜又は直交するように配されてよい。本実施形態の回路基板１０４は、その板厚方向が二つの導電体１０３の配列方向に一致するように配される。また、本実施形態において、回路基板１０４は二つの導電体１０３の間に配される。
【００５１】
回路基板１０４は、第一実施形態と同様に、導電体１０３に電気接続される。本実施形態において、回路基板１０４は、図７，９に示すように、回路基板１０４から各導電体１０３まで延びる棒状の接続体１０８によって各導電体１０３に電気接続される。各接続体１０８の長手方向の第一端は、例えばネジ止め等によって各導電体１０３に固定されてよい。各接続体１０８の第二端は、例えば回路基板１０４の一方の主面１３１ａに半田付けされた端子１３５にネジ止めされることで、回路基板１０４に固定されてよい。
回路基板１０４と各導電体１０３との間に上記した接続体１０８が介在することで、回路基板１０４と各導電体１０３との間隔が保持される。すなわち、接続体１０８はスペーサの機能も有する。これにより、回路基板１０４と各導電体１０３との間で不要な電気的な短絡が生じることを防止できる。
【００５２】
図７〜９に示すように、回路基板１０４の主面１３１には、第一実施形態と同様の回路部品３３が搭載されている。回路部品３３は、例えば回路基板１０４の両方の主面１３１（１３１ａ，１３１ｂ）に搭載されてよいが、本実施形態では回路基板１０４の一方の主面１３１ａのみに搭載されている。回路基板１０４の一方の主面１３１ａは、二つの導電体１０３のうち第二導電体１０３Ｂに対向する面である。
【００５３】
図７，８に示すように、本実施形態のフィルタ装置１０１は、上記した回路基板１０４を二つ備える。二つの回路基板１０４（１０４Ａ，１０４Ｂ）は、コア２の軸方向（導電体１０３の長手方向）に配列される。第一回路基板１０４Ａは二つのコア２に挿通され、第二回路基板１０４Ｂは残り一つのコア２に挿通されている。図示例において、第一回路基板１０４Ａが挿通される二つのコア２と、第二回路基板１０４Ｂが挿通される一つのコア２とは、コア２の軸方向に間隔をあけて位置するが、これに限ることはない。
【００５４】
図７〜９に示すように、ベース部１０９は、上記したコア２、導電体１０３及び回路基板１０４を載置する載置面１０９ａを有する。ベース部１０９は、図示例のような平板状に形成されてよいが、例えばコア２、導電体１０３及び回路基板１０４を収容するケース（例えば第一実施形態のシールド用ケース６と同様に電磁気的なノイズを遮蔽するケース）として構成されてもよい。
コア２、導電体１０３及び回路基板１０４は、導電体１０３及び回路基板１０４をコア２に挿入又は挿通させた状態で、ベース部１０９の載置面１０９ａに配される。この状態において、コア２の軸方向や導電体１０３の長手方向は、ベース部１０９の載置面１０９ａに平行する。また、第一導電体１０３Ａ、回路基板１０４、第二導電体１０３Ｂが、この順番でベース部１０９の載置面１０９ａから離れる方向に配列される。
【００５５】
二つの導電体１０３のうち第一導電体１０３Ａは、ベース部１０９の載置面１０９ａ上に配された状態で、第二スペーサ１７２によってベース部１０９の載置面１０９ａ上に支持される。第二スペーサ１７２は、ベース部１０９と第一導電体１０３Ａとの間に挟み込まれる。第二スペーサ１７２は、例えばネジ止め等によって第一導電体１０３Ａやベース部１０９に対して固定されてよい。
【００５６】
各回路基板１０４は、ベース部１０９の載置面１０９ａ上に配された状態で、第三スペーサ１７３によってベース部１０９の載置面１０９ａ上に支持される。第三スペーサ１７３は、ベース部１０９と各回路基板１０４との間に挟み込まれる。第三スペーサ１７３は、例えばネジ止め等によって各回路基板１０４やベース部１０９に対して固定されてよい。
ベース部１０９が導電性を有する場合、第三スペーサ１７３は、例えば、導電性を有し、回路基板１０４の接地配線をベース部１０９に電気接続する接続体として構成されてよい。また、第三スペーサ１７３は、例えば回路基板１０４とベース部１０９とを電気的に絶縁するように設けられてもよい。この場合、第三スペーサ１７３は、例えば電気的な絶縁性を有するとよい。
【００５７】
第二実施形態のフィルタ装置１０１によれば、回路基板１０４が導電体１０３と共にコア２に挿入又は挿通される。このため、コア２と回路基板１０４とが回路基板１０４の主面１３１に沿う方向（導電体１０３の長手方向）に配列された従来の構成と比較して、導電体１０３の長手方向におけるフィルタ装置１０１の寸法を小さくできる。したがって、フィルタ装置１０１の小型化を図ることができる。
【００５８】
以上、本発明の詳細について説明したが、本発明は上述した実施形態に限定されるものではなく、本発明の主旨を逸脱しない範囲において種々の変更を加えることができる。
【００５９】
例えば、本発明のフィルタ装置において、コア、導電体、回路基板の数は、任意であってよい。
【符号の説明】
【００６０】
１，１０１  フィルタ装置
２，２Ａ，２Ｂ  コア
３，１０３，１０３Ａ，１０３Ｂ  導電体
４，４Ａ，４Ｂ，１０４，１０４Ａ，１０４Ｂ  回路基板
５  シールド板部
６  シールド用ケース
３１，３１ａ，３１ｂ，１３１，１３１ａ，１３１ｂ  主面
３２  基板挿通孔
５１  収容領域
５２，５２Ａ，５２Ｂ，５２Ｃ  区画領域
５５  底面
５６  内側面
５８  案内部材
【図１】
2020039050.tif 000003
【図２】
2020039050.tif 000004
【図３】
2020039050.tif 000005
【図４】
2020039050.tif 000006
【図５】
2020039050.tif 000007
【図６】
2020039050.tif 000008
【図７】
2020039050.tif 000009
【図８】
2020039050.tif 000010
【図９】
2020039050.tif 000011